(57)【要約】【課題】ステータスランプの発光源とステータス表示部との距離が開いた場合でも、発光源に基づく十分な光を確実にステータス表示部に到達させることができる電子機器を提供する。【解決手段】筐体１０と、筐体１０の内部の基板２０と、光によって状態を表示するステータスランプ４０とを具備する。ステータスランプ４０は、基板２０上に配置されて、レーザー光４１ａを放射する発光源４１と、筐体１０に設けられ、レーザー光４１ａを散乱させて筐体１０の外部へ透過させるステータス表示部４２とを備える。【選択図】図２
2012150897.tif 000002
【特許請求の範囲】
【請求項１】
筐体と、
前記筐体の内部の基板と、
光によって状態を表示するステータスランプと
を具備し、
前記ステータスランプは、
前記基板上に配置されて、レーザー光を放射する発光源と、
前記筐体に設けられ、前記レーザー光を散乱させて前記筐体の外部へ透過させるステータス表示部と
を備える
電子機器。
【請求項２】
請求項１に記載の電子機器であって、
前記ステータスランプは、
前記発光源から放射された前記レーザー光を受けて、前記ステータス表示部に向けて反射させる反射部
を更に備える
電子機器。
【請求項３】
筐体と、前記筐体の内部の基板と、光によって状態を表示するステータスランプとを具備する電子機器のステータスランプ発光方法であって、
前記基板上に配置された前記ステータスランプの発光源が、レーザー光を放射することと、
前記筐体に設けられた前記ステータスランプのステータス表示部が、前記レーザー光を散乱させて前記筐体の外部へ透過させることと
を具備する
ステータスランプ発光方法。
【請求項４】
請求項３に記載のステータスランプ発光方法であって、
前記ステータスランプの反射部が、前記発光源から放射された前記レーザー光を受けて、前記ステータス表示部に向けて反射させること
を更に具備する
ステータスランプ発光方法。
【発明の詳細な説明】
【技術分野】
【０００１】
本発明は、電子機器の状態を表すステータスランプに関する。
【背景技術】
【０００２】
ステータスランプを具備する電子機器は、ステータスランプの点灯、点滅及び消灯などの発光パターンや発光色に基づいて、電子機器の状態を外部へ通知する。ユーザはステータスランプの発光状態に基づいて、電子機器の状態を認識することができる。
【０００３】
図１は、ステータスランプ１４０を具備する電子機器１００の内部構造である。ここでは、電子機器１００は外部の電子機器と接続可能なユニットとして示されている。電子機器１００は、筐体１１０と、プリント配線基板１２０と、コネクタ１３０と、ステータスランプ１４０とを具備する。
【０００４】
プリント配線基板１２０は、コネクタ１３０を介して接続される外部の電子機器から電源が供給されて動作する。コネクタ１３０は、プリント配線基板１２０と外部の電子機器とを接続するコネクタである。
【０００５】
ステータスランプ１４０は、光によって電子機器１００及び接続された外部の電子機器の状態を表示する。ステータスランプ１４０は、プリント配線基板１２０上に配置されて発光する発光源１４１と、筐体１１０の開口部に設けられて、発光源１４１の光を筐体１１０の外部へ透過させるステータス表示部１４２とを備える。発光源１４１は、ＬＥＤ（Ｌｉｇｈｔ  Ｅｍｉｔｔｉｎｇ  Ｄｉｏｄｅ）が例示され、電子機器１００及び接続された外部の電子機器の状態に応じて発光する。発光源１４１の光がステータス表示部１４２を透過することで、電子機器１００の状態は外部へ通知されることになる。
【０００６】
ステータスランプに関連した技術が特許文献１に開示されている。特許文献１の技術は、電子機器のインディケーターランプを前面に持ってくるために、通常用いられるリード線、端子、ハウジングからなるハーネスに換えて、光ファイバーケーブルを用いるというものである。
【０００７】
また、特許文献２には発光に関わる技術として、光散乱体と、半導体レーザーとを組み合わせたアイセーフ半導体レーザーが開示されている。
【先行技術文献】
【特許文献】
【０００８】
【特許文献１】特開２００３−２７９８０５号公報
【特許文献２】国際公開第２００７／１１４４９３号
【発明の概要】
【発明が解決しようとする課題】
【０００９】
図１において、ステータスランプ１４０の発光源１４１とステータス表示部１４２との間の距離が離れると、ステータス表示部１４２を透過した発光源１４１の光が筐体１１０の外部まで届き難くなる。つまり、電子機器１００及び接続された外部の電子機器の状態を、ユーザが把握し難くなる恐れがある。そのため、発光源１４１とステータス表示部１４２との距離は短い方が好ましく、発光源１４１はステータス表示部１４２の近傍に配置される。つまり、発光源１４１は筐体１１０内部で、ユーザが目視しやすい表面側に配置されることになる。しかし、コネクタ１３０が接続する外部の電子機器のバックプレーンは、外部の電子機器の内側に配置されているため、コネクタ１３０はプリント配線基板１２０上で、ステータスランプ１４０と反対側（外部の電子機器の筐体の内側）に配置されることになる。その結果、発光源１４１とコネクタ１３０とはプリント配線基板１２０上で離れて配置されることになり、プリント配線基板１２０が大きくなってしまう問題があった。
【００１０】
本発明の目的は、ステータスランプの発光源とステータス表示部との距離が開いた場合でも、発光源に基づく十分な光を確実にステータス表示部に到達させることができる電子機器を提供することにある。
【課題を解決するための手段】
【００１１】
本発明の電子機器は、筐体と、筐体の内部の基板と、光によって状態を表示するステータスランプとを具備する。ステータスランプは、基板上に配置されて、レーザー光を放射する発光源と、筐体に設けられ、レーザー光を散乱させて筐体の外部へ透過させるステータス表示部とを備える。
【００１２】
本発明のステータスランプ発光方法は、筐体と、筐体の内部の基板と、光によって状態を表示するステータスランプとを具備する電子機器のステータスランプ発光方法であって、基板上に配置されたステータスランプの発光源がレーザー光を放射することと、筐体に設けられたステータスランプのステータス表示部が、レーザー光を散乱させて筐体の外部へ透過させることとを具備する。
【発明の効果】
【００１３】
本発明の電子機器は、ステータスランプの発光源とステータス表示部との距離が開いた場合でも、発光源に基づく十分な光を確実にステータス表示部に到達させることができる。
【図面の簡単な説明】
【００１４】
【図１】図１は、ステータスランプ１４０を具備する電子機器１００の内部構造である。
【図２】図２は、本発明の第１の実施の形態による電子機器１の構成図である。
【図３】図３は、電子機器１が外部の電子機器２に接続される様子を示す図である。
【図４】図４は、本発明の第２の実施の形態による電子機器１ａの構成図である。
【発明を実施するための形態】
【００１５】
以下、添付図面を参照して、本発明の実施の形態による電子機器を説明する。
【００１６】
（第１の実施の形態）
本発明の第１の実施の形態による電子機器を説明する。図２は、本発明の第１の実施の形態による電子機器１の構成図である。ここでは、電子機器１は外部の電子機器（バックプレーン３）と接続可能（取り外し可能）なユニットとして示されている。図２を参照すると、電子機器１は、筐体１０と、プリント配線基板２０と、コネクタ３０と、ステータスランプ４０とを具備する。
【００１７】
筐体１０は、内部に配置された各部を保護する。筐体１０は、図１では上面がない形状であるが上面がある形状でもよく、更に、内部の各部を保護できる形状であればどのような形であってもよい。筐体１０は、ステータス表示部４２を設けるための開口部を有している。尚、ステータス表示部４２については後述する。
【００１８】
プリント配線基板２０は、筐体１０の内部に配置される。プリント配線基板２０は、コネクタ３０を介してバックプレーン３と接続し、バックプレーン３から供給される電源に基づいて動作する。コネクタ３０は、プリント配線基板２０とバックプレーン３とを電気的に接続する。
【００１９】
ステータスランプ４０は、光によって電子機器１及び接続された外部の電子機器の状態を表示する。ステータスランプ４０は、発光源４１と、ステータス表示部４２とを備える。発光源４１は、プリント配線基板２０上に配置され、プリント配線基板２０と電気的に接続される。発光源４１は半導体レーザーであり、電子機器１及び接続された外部の電子機器の状態に応じて、直進性を有するレーザー光４１ａをステータス表示部４２に向けて放射する。このとき、ステータス表示部４２はレーザー光４１ａの点灯、点滅及び消灯などのパターンや発光色に基づいて、電子機器１及び接続された外部の電子機器の状態を表示する。
【００２０】
ステータス表示部４２は、筐体１０の開口部に設置される。ステータス表示部４２は、レーザー光４１ａを散乱させ、散乱させたレーザー光４１ａを筐体１０の外部へ透過させる。発光源４１のレーザー光４１ａがステータス表示部４２を透過することで、電子機器１の状態が外部へ通知されることになる。
【００２１】
図３は、電子機器１が外部の電子機器２に接続される様子を示す図である。電子機器１は、電子機器２の筐体に設けられたスペースに挿入されて接続される。このとき、電子機器１のコネクタ３０と、電子機器２のバックプレーン３とが接続される。ステータス表示部４２は、電子機器１と電子機器２とが接続された状態において、ユーザが目視できる位置（表面側、前面側）に配置される。言い換えると、電子機器２の筐体内部ではバックプレーン３が後面の内側に配置されており、コネクタ３０は電子機器２の内側に配置される。ユーザは、ステータス表示部４２の発光状態に基づいて、電子機器１及び電子機器２の状態を認識することができる。尚、電子機器２は、取り外し可能なユニットとして複数の電子機器１を備えていてもよいし、取り外しできないように筐体１０、プリント配線基板２０と、コネクタ３０と、ステータスランプ４０とを直接備えていても良い。
【００２２】
前述した図１の例では、ステータスランプ１４０の発光源１４１とステータス表示部１４２との間の距離が離れると、ステータス表示部１４２を透過した発光源１４１の光が筐体１１０の外部まで届き難くなることがあった。しかし、本発明の第１の実施の形態による電子機器１は、ステータスランプ４０の発光源４１とステータス表示部４２との距離が開いた場合でも、発光源４１がレーザー光４１ａを放射するため、十分な光を確実にステータス表示部４２に到達させることが可能である。その結果、本発明の電子機器１は、プリント配線基板２０を小さくすることができ、内部の構成を自由に設計できる効果を奏している。そして同時に、電子機器１はコストを下げる効果も奏している。
【００２３】
（第２の実施の形態）
次に、本発明の第２の実施の形態による電子機器の説明を行う。図４は、本発明の第２の実施の形態による電子機器１ａの構成図である。ここで、第２の実施の形態による電子機器１ａは、第１の実施の形態の電子機器１と同様の構成には、同じ符号を付けて説明を省略する。
【００２４】
電子機器１ａは、筐体１０と、プリント配線基板２０と、コネクタ３０と、ステータスランプ４０ａと、部品６０とを具備する。ステータスランプ４０ａは、光によって電子機器１及び接続された外部の電子機器の状態を表示する。ステータスランプ４０は、発光源４１と、ステータス表示部４２と、反射部４３とを備える。部品６０は、発光源４１とステータス表示部４２との間に配置され、発光源４１から放射されたレーザー光４１ａが真っ直ぐステータス表示部４２に到達することを妨げる遮蔽物である。
【００２５】
反射部４３は、発光源４１から放射されたレーザー光４１ａを受けて、ステータス表示部４２に向けて反射させる鏡である。つまり、発光源４１がレーザー光４１ａを放射し、反射部４３がレーザー光４１ａを受けてステータス表示部４２に向けて反射させ、ステータス表示部４２がレーザー光４１ａを散乱させて筐体１０の外部へ透過させる。これによって、発光源４１から放射されたレーザー光４１ａが部品６０を避けて確実にステータス表示部４２に到達するようになる。尚、反射部４３は、発光源４１とステータス表示部４２と部品６０との位置を考慮して、レーザー光４１ａがステータス表示部４２に到達可能な位置に配置されればよく、電子機器１ａの内部側面に限らず、底面や上面に配置されてもよい。また、ステータスランプ４０ａは、複数の反射部４３を備えていてもよい。その場合、ステータスランプ４０ａは部品６０を避けるために、発光源４１からのレーザー光４１ａを複数回反射させながらステータス表示部４２へ到達させることができる。
【００２６】
本発明の第２の実施の形態による電子機器１ａは、発光源４１とステータス表示部４２との間に遮蔽物となる部品６０が存在していたとしても、反射部４３が発光源４１のレーザー光４１ａを反射させて確実にステータス表示部４２へ到達させることができる効果を奏している。
【００２７】
以上、本発明を説明したが、本発明は既述した実施の形態に限定されるものではない。本発明の構成は、本発明のスコープ内で当業者が理解し得る様々な変更をすることができる。
【符号の説明】
【００２８】
１、１ａ  電子機器
２        電子機器
３        バックプレーン
１０      筐体
２０      プリント配線基板
３０      コネクタ
４０、４０ａ  ステータスランプ
４１      発光源
４１ａ    レーザー光
４２      ステータス表示部
４３      反射部
６０      部品
１００    電子機器
１１０    筐体
１２０    プリント配線基板
１３０    コネクタ
１４０    ステータスランプ
１４１    発光源
１４２    ステータス表示部
【図１】
2012150897.tif 000003
【図２】
2012150897.tif 000004
【図３】
2012150897.tif 000005
【図４】
2012150897.tif 000006